(57)【要約】      （修正有）【課題】コストアップを抑制しつつ、天板の変形を抑制することができるファンモータ台を提供する。【解決手段】ファンモータ台は、天板対向部と、モータ保持部と、支持部と、を備える。天板対向部は、冷凍装置ユニットの天板に対向する。支持部は、天板対向部及びモータ保持部を支持し、冷凍装置ユニットの底板から天板に向かって延びる。天板対向部は、天板上面基部と、天板膨出部と、を含む。天板膨出部は、水平面部１３３１と、傾斜縁部１３３２と、を有する。水平面部１３３１は、水平面を有する。傾斜縁部１３３２は、天板上面基部と水平面部１３３１との間を接続する。また、傾斜縁部１３３２は、天板上面基部から水平面部１３３１に向かって上方に傾斜して盛り上がり、少なくとも一部が湾曲している。【選択図】図６
2016090087.tif 000002
【特許請求の範囲】
【請求項１】
冷凍装置ユニット（１００）の天板（１３）に対向する天板対向部（２３）と、
前記冷凍装置ユニットのファン（１５）の駆動モータ（１６）を支持するモータ保持部（２２）と、
前記天板対向部及び前記モータ保持部を支持し、前記冷凍装置ユニットの底板（１４）から前記天板に向かって延びる支持部（２１）と、
を備え、
前記天板対向部は、
天板上面基部（２３１）と、
水平面を有する水平面部（１３３１）と、前記天板上面基部と前記水平面部との間を接続し、前記天板上面基部から前記水平面部に向かって上方に傾斜して盛り上がり、少なくとも一部が湾曲している傾斜縁部（１３３２）と、を有する天板膨出部（１３３）と、
を含む、ファンモータ台（２０）。
【請求項２】
前記傾斜縁部は、前記水平面部の近傍において湾曲している、請求項１に記載のファンモータ台。
【請求項３】
前記傾斜縁部は、前記天板上面基部の端部に隣接する部位が湾曲している、請求項１に記載のファンモータ台。
【請求項４】
前記傾斜縁部の湾曲部分が延びる方向は、前記天板上面基部の端部が延びる方向に沿っている、請求項３に記載のファンモータ台。
【請求項５】
前記傾斜縁部は、その延びる方向の全長において湾曲している、請求項１に記載のファンモータ台。
【請求項６】
前記支持部は、前記底板から前記天板に向かって延びる、第１支持部（２１ａ）と第２支持部（２１ｂ）とを含み、
前記天板上面基部は、前記第１支持部側の第１上面基部（２３１ａ）と、前記第２支持部側の第２上面基部（２３１ｂ）と、前記第１上面基部及び前記第２上面基部との間に位置する連結上面基部（２３１ｃ）と、を有し、
前記天板膨出部は、前記第１上面基部と、前記第２上面基部と、前記連結上面基部と、に対応して形成されている、請求項１に記載のファンモータ台。
【請求項７】
前記天板対向部から前記冷凍装置ユニットの前板に向かって延びる前延長部をさらに備え、
前記前延長部（２５）は、
前記天板上面基部から前記冷凍装置ユニットの前板に向かって延びる前延長基部（２５１）と、
水平面を有する水平面部（１３５１）と、前記前延長基部と前記水平面部との間を接続し、前記前延長基部から前記水平面部に向かって上方に傾斜して盛り上がり、少なくとも一部が湾曲している傾斜縁部（１３５２）と、を有する前延長膨出部（１３５）と、
を含む請求項１に記載のファンモータ台。
【発明の詳細な説明】
【技術分野】
【０００１】
本発明は、ファンモータ台に関する。
【背景技術】
【０００２】
空気調和機の室外機は、室外機の底部となる底板と、側面の周囲を覆う側板と、室外機の上部を覆う天板と、によって外面が形成されている。特許文献１（特開２０１３−２３１５３０号公報）の室外機の内部には、プロペラファン、ファンモータ台及び取付片が設けられている。プロペラファンは、室外機の背面側から前面側に向かう空気流を生成する。プロペラファンはファンモータ台に固定されている。また、特許文献１では、ファンモータ台は、取付片を介して天板に固定されている。取付片は天板に隣接して設けられており、取付片と天板との間には隙間が設けられている。この隙間にはシール材が配置されている。
【０００３】
取付片が天板と接触している場合、天板に荷重が掛かって天板が取付片に押し付けられると、天板に取付片の型が付く。特許文献１では、取付片と天板との隙間にシール部材が配置されているため、天板に荷重が掛かっても、シール部材により荷重が分散される。よって、天板に取付片の型が付いて、天板が変形するのを抑制することができる。
【発明の概要】
【発明が解決しようとする課題】
【０００４】
しかし、特許文献１の構成では、天板の変形を防止するためには、取付片と天板との隙間に、別途のシール材を設ける必要がある。よって、別途の部材を設けることによるコストアップを招く。
【０００５】
そこで、本発明の目的は、コストアップを抑制しつつ、天板の変形を抑制することができるファンモータ台を提供することを目的とする。
【課題を解決するための手段】
【０００６】
本発明の第１観点に係るファンモータ台は、天板対向部と、モータ保持部と、支持部と、を備える。天板対向部は、冷凍装置ユニットの天板に対向する。モータ保持部は、冷凍装置ユニットのファンの駆動モータを支持する。支持部は、天板対向部及びモータ保持部を支持し、冷凍装置ユニットの底板から天板に向かって延びる。
【０００７】
天板対向部は、天板上面基部と、天板膨出部と、を含む。天板膨出部は、水平面部と、傾斜縁部と、を有する。水平面部は、水平面を有する。傾斜縁部は、天板上面基部と水平面部との間を接続する。また、傾斜縁部は、天板上面基部から水平面部に向かって上方に傾斜して盛り上がり、少なくとも一部が湾曲している。
【０００８】
上記構成によれば、天板膨出部の傾斜縁部は、天板上面基部と水平面部との間を、その断面が湾曲するように接続する。
【０００９】
天板に荷重が掛かった場合、天板対向部のうち、盛り上がっている天板膨出部が先に天板と接触する。このとき、天板膨出部は、傾斜縁部が湾曲していることによって天板からの荷重を拡散することができる。つまり、天板膨出部の傾斜縁部は、応力集中を抑制する。よって、天板とファンモータ台の天板対向部との接触による、天板の変形を抑制することができる。例えば、ファンモータ台の天板対向部の形状の型が、天板に付くのを抑制することができる。
【００１０】
また、天板対向部の天板上面基部及び天板膨出部は、天板対向部を加工して形成することができる。よって、別途の部材を設けることなく天板の変形を抑制することができる。これにより、ファンモータ台のコストを抑制することができる。
【００１１】
本発明の第２観点に係るファンモータ台は、第１観点に係るファンモータ台において、傾斜縁部は、水平面部の近傍において湾曲している。
【００１２】
上記構成において、傾斜縁部は、天板上面基部と水平面部との間を、その断面が湾曲するように接続する。特に、傾斜縁部は、天板上面基部から盛り上がり、水平面部の近傍において湾曲している。天板に荷重が掛かった場合、天板は、水平面部及び／又は、傾斜縁部の湾曲部分に接触する。これにより、傾斜縁部は天板からの荷重を拡散し、天板の変形を抑制することができる。
【００１３】
本発明の第３観点に係るファンモータ台は、第１観点に係るファンモータ台において、傾斜縁部は、天板上面基部の端部に隣接する部位が湾曲している。
【００１４】
上記構成において、天板に荷重がかかると、天板上面基部の端部、つまり天板対向部の端部は、天板からの荷重を辺で受けるため応力が集中し易い。傾斜縁部は天板上面基部の端部に隣接する部分が湾曲している。天板からの応力を、その傾斜縁部によって拡散することができるため、天板の変形を抑制することができる。
【００１５】
本発明の第４観点に係るファンモータ台は、第４観点に係るファンモータ台において、傾斜縁部の湾曲部分が延びる方向は、天板上面基部の端部が延びる方向に沿っている。
【００１６】
ここで、天板上面基部の端部、つまり天板対向部の端部は、天板からの荷重を辺で受けるため応力が集中し易い。上記構成によれば、天板からの応力が集中し易い天板上面基部の端部に沿って、傾斜縁部の湾曲部分が延びている。そのため、天板上面基部の端部に沿って延びる傾斜縁部によってさらに応力を拡散することができる。よって、天板の変形を抑制することができる。
【００１７】
本発明の第５観点に係るファンモータ台は、第１観点に係るファンモータ台において、傾斜縁部は、その延びる方向の全長において湾曲している。
【００１８】
これにより、天板からの荷重を傾斜縁部の全長に亘って拡散することができる。よって、より天板の変形を抑制することができる。
【００１９】
本発明の第６観点に係るファンモータ台は、第１観点に係るファンモータ台において、支持部は、底板から天板に向かって延びる、第１支持部と第２支持部とを含む。天板上面基部は、第１支持部側の第１上面基部と、第２支持部側の第２上面基部と、第１上面基部及び第２上面基部との間に位置する連結上面基部と、を有する。天板膨出部は、第１上面基部と、第２上面基部と、連結上面基部と、に対応して形成されている。
【００２０】
上記構成によれば、天板膨出部は、第１上面基部及び第２上面基部だけでなく、連結上面基部にも対応して形成されている。天板に荷重が掛かった場合、第１上面基部、第２上面基部及び連結上面基部に対応して形成された天板膨出部によって、さらに応力を拡散することができる。よって、より天板の変形を抑制することができる。
【００２１】
本発明の第７観点に係るファンモータ台は、第１観点に係るファンモータ台において、前延長部をさらに備える。前延長部は、天板対向部から冷凍装置ユニットの前板に向かって延びる。前延長部は、前延長基部と、前延長膨出部と、を含む。前延長基部は、天板上面基部から冷凍装置ユニットの前板に向かって延びる。前延長膨出部は、水平面部と、傾斜縁部と、を有する。水平面部は水平面を有する。傾斜縁部は、前延長基部と水平面部との間を接続する。また、傾斜縁部は、前延長基部から水平面部に向かって上方に傾斜して盛り上がり、少なくとも一部が湾曲している。
【００２２】
上記構成において、前延長基部は、天板上面基部から前板に向かって延びている。天板に荷重が掛かった場合、前延長基部の端部に応力がかかる場合がある。このような場合でも、前延長基部に対応して前延長膨出部が形成されているため、応力を拡散することができる。よって、天板の変形を抑制することができる。
【発明の効果】
【００２３】
本発明の第１観点に係るファンモータ台では、天板膨出部は、傾斜縁部が湾曲していることによって天板からの荷重を拡散し、天板の変形を抑制することができる。
【００２４】
本発明の第２観点に係るファンモータ台では、水平面部の近傍において湾曲している傾斜縁部は、天板からの荷重を拡散し、天板の変形を抑制することができる。
【００２５】
本発明の第３観点に係るファンモータ台では、天板からの応力を、その傾斜縁部によって拡散することができるため、天板の変形を抑制することができる。
【００２６】
本発明の第４観点に係るファンモータ台では、天板上面基部の端部に沿って延びる傾斜縁部によってさらに応力を拡散することができる。
【００２７】
本発明の第５観点に係るファンモータ台では、より天板の変形を抑制することができる。
【００２８】
本発明の第６観点に係るファンモータ台では、連結上面基部に対応して形成された天板膨出部によって、さらに応力を拡散することができる。
【００２９】
本発明の第７観点に係るファンモータ台では、前延長基部に対応して前延長膨出部が形成されているため、応力を拡散することができる。
【図面の簡単な説明】
【００３０】
【図１】本発明の実施形態に係る空気調和装置１０００の外観図である。
【図２】前板１１及び右側板１２が外された室外ユニット１００の正面図である。
【図３】前板１１、右側板１２及び天板１３が外された室外ユニット１００の正面図である。
【図４】駆動モータ１６を介してファン１５が取り付けられたファンモータ台２０の側面図である。
【図５】ファンモータ台２０の全体斜視図である。
【図６】天板対向部２３、接触部２４及び前延長部２５を前方斜め上方から見た斜視図である。
【図７】天板対向部２３、接触部２４及び前延長部２５を上方斜めから見た斜視図である。
【図８】第１天板膨出部１３３ａの拡大図である。
【図９】図８のＢ−Ｂ断面図である。
【図１０】図８において、第１支持部２１ａの第１平面２１ａ−１側から見た第１天板膨出部１３３ａの側面図である。
【発明を実施するための形態】
【００３１】
以下、図面を参照しながら、本発明の実施形態について説明する。なお、以下の実施形態は、本発明の具体例であって、本発明の技術的範囲を限定するものではない。
【００３２】
＜実施形態＞
以下では、冷凍装置ユニットの一例である室外ユニットを例に挙げて本実施形態を説明する。なお、冷凍装置ユニットは、室外ユニットの他、給湯器などの熱交換を行うあらゆる装置を含む。
【００３３】
（１）室外ユニット１００の全体構成
まず、空気調和装置１０００に含まれる室外ユニット１００の全体構成について説明する。
【００３４】
図１は、本発明の実施形態に係る空気調和装置１０００の外観図である。図２は、前板１１及び右側板１２が外された室外ユニット１００の正面図である。図３は前板１１、右側板１２及び天板１３が外された室外ユニット１００の正面図である。図４は、駆動モータ１６を介してファン１５が取り付けられたファンモータ台２０の側面図である。
【００３５】
尚、以下の説明においては、「上」、「下」、「左」、「右」、「正面」、「前」、「背面」、「後」等の方向を示す表現を適宜用いている。これらの方向は、図１等に示すように室外ユニット１００の天板１３が見えるように室外に取り付けられ、通常使用される状態での各方向を表す。「正面」と「前」とは同方向である。また、「背面」と「後」とは同方向である。
【００３６】
図１の空気調和装置１０００は、室外ユニット１００と、室内ユニット２００とに分かれて構成されている。室内ユニット２００は、空気調和を行う対象空間である室内の壁面等に取り付けられている。一方、室外ユニット１００は、室内の外部に設置されるものである。室外ユニット１００は、冷媒連絡配管３００を介して室内ユニット２００と接続されている。以下に、室外ユニット１００について説明する。
【００３７】
（１−１）室外ユニット１００の外側面
室外ユニット１００は、図１〜図３に示すように、外側面を形成する、前板１１、右側板１２、天板１３及び底板１４を有する。
【００３８】
天板１３は、室外ユニット１００の上面に配置され、室外ユニット１００の内部空間の上面を覆う。天板１３は板金で形成されている。
【００３９】
前板１１は、室外ユニット１００の前面に設けられている。前板１１は、例えばポリプロピレンなどの樹脂から形成されている。前板１１には、複数のスリット状の吹出し孔１１ａが設けられている。ファン１５（図４）の回転により室外ユニット１００の内部空間に取り込まれた空気流は、吹出し孔１１ａを通って室外ユニット１００の外部へ排出される。
【００４０】
右側板１２は、室外ユニット１００の内部空間の右側を覆い、板金で形成されている。
【００４１】
底板１４は、室外ユニット１００の下面に配置され、室外ユニット１００の内部空間の下方を覆う。底板１４は板金で形成されている。
【００４２】
（１−２）室外ユニット１００の内部空間
室外ユニット１００の内部空間には、ファン１５（図４）、駆動モータ１６、仕切板１８、ファンモータ台２０、室外熱交換器３０、圧縮機４０及び電装品箱５０等が配置されている。
【００４３】
仕切板１８は、底板１４に対して垂直に設けられている。仕切板１８は、室外ユニット１００の内部空間を機械室Ｓ１と送風機室Ｓ２とに仕切る。機械室Ｓ１は、室外ユニット１００の正面視において仕切板１８の右側に配置される。送風機室Ｓ２は、室外ユニット１００の正面視において仕切板１８の左側に配置される。機械室Ｓ１には、図２、図３に示すように、圧縮機４０及び電装品箱５０などの風雨から保護する必要のある機械部品の多くが収容される。送風機室Ｓ２は、室外ユニット１００の外部から取り込まれた空気が、室外熱交換器３０を通って室外へと排出される空間である。
【００４４】
ファンモータ台２０は、送風機室Ｓ２に配置されている。より具体的には、ファンモータ台２０は、送風機室Ｓ２のうち室外熱交換器３０の前方、すなわち空気流れの下流側に位置している。また、ファンモータ台２０は、正面視において、送風機室Ｓ２の略中央に配置されている。ファンモータ台２０は、底板１４から天板１３に至るまで延びている。ファンモータ台２０の中央部１０５には、モータ保持部２２が設けられている。モータ保持部２２には、駆動モータ１６が取り付けられる。ファンモータ台２０の詳細については後述する。
【００４５】
駆動モータ１６はファン１５を回転させるための駆動部である。図２，図３に示すように駆動モータ１６は、ファンモータ台２０のモータ保持部２２に取り付けられている。図４に示すように、駆動モータ１６の中心には、前後方向に平行な回転軸１６ａが設けられている。この回転軸１６ａにファン１５が固定される。駆動モータ１６は、所定の回転数で回転軸１６ａを回転させる。これによりファン１５が所定の回転数で回転する。
【００４６】
ファン１５は、例えば複数のファン翼１５ａを有するプロペラファンである。ファン１５は、駆動モータ１６の回転軸１６ａに固定されている。駆動モータ１６が駆動することで、ファン１５は回転軸１６ａを中心に回転駆動される。このファン１５の回転駆動により空気流が生成される。この空気流によって、室外ユニット１００周囲の空気が、室外ユニット１００の背面側から取り込まれ、室外熱交換器３０を通って送風機室Ｓ２へと取り込まれる。送風機室Ｓ２へと取り込まれた空気は、その後、前板の吹出し孔１１ａ等を通って、室外ユニット１００の外部へと排出される。
【００４７】
室外熱交換器３０は、通過する空気との間で熱交換を行う。室外熱交換器３０は、送風機室Ｓ２の外側面に沿って配置されている。より具体的には、室外熱交換器３０は、略Ｌ字形状の形状をなしており、室外ユニット１００の背面に沿う部分と、背面に沿う部分から左側に屈曲して延在する部分と、を有する。
【００４８】
圧縮機４０は、機械室Ｓ１に配置されており底板１４に固定される。圧縮機４０は、冷媒を圧縮するためのものであって、圧縮機モータ（図示せず）によって駆動される。
【００４９】
電装品箱５０は、機械室Ｓ１の上部に、仕切板１８に取り付けられて配置される。電装品箱５０には、各種装置の制御を行うためのマイクロコンピュータチップや制御プログラムを格納するメモリなどの電子部品が内装されている。
【００５０】
（２）ファンモータ台２０の詳細構成
次に、ファンモータ台２０の詳細構成について説明する。
【００５１】
図５は、ファンモータ台２０の全体斜視図である。図６は、天板対向部２３、接触部２４及び前延長部２５を前方斜め上方から見た斜視図である。図７は、天板対向部２３、接触部２４及び前延長部２５を上方斜めから見た斜視図である。図８は、第１天板膨出部１３３ａの拡大図である。図９は、図８のＢ−Ｂ断面図である。図１０は、図８において、第１支持部２１ａの第１平面２１ａ−１側から見た第１天板膨出部１３３ａの側面図である。
【００５２】
ファンモータ台２０は、支持部２１と、モータ保持部２２と、天板対向部２３と、接触部２４と、前延長部２５と、底板対向部２６と、を含む。
【００５３】
（２−１）支持部２１
図２、図３に示すように、支持部２１は、室外ユニット１００の底板１４から天板１３に向かって延びる。支持部２１は、第１支持部２１ａ及び第２支持部２１ｂを含む。第１支持部２１ａ及び第２支持部２１ｂは、ファンモータ台２０の上下方向の中央部１０５においてモータ保持部２２の両側を支持する。具体的には、第１支持部２１ａは、ファンモータ台２０の正面視において、モータ保持部２２の右側に配置されている。一方、第２支持部２１ｂは、ファンモータ台２０の正面視において、モータ保持部２２の左側に配置されている。そして、第１支持部２１ａ及び第２支持部２１ｂの上下方向の中央部１０５がモータ保持部２２の左右両端に接続される。
【００５４】
図５に示すように、第１支持部２１ａ及び第２支持部２１ｂの底板１４側は、底板対向部２６に接続されている。第１支持部２１ａ及び第２支持部２１ｂの天板１３側は、天板対向部２３に接続されている。
【００５５】
上記構成により、第１支持部２１ａ及び第２支持部２１ｂの上下方向の中央部１０５は、モータ保持部２２を介して接続される。また、第１支持部２１ａ及び第２支持部２１ｂの下端及び上端は、それぞれ底板対向部２６及び天板対向部２３に接続される。これにより、第１支持部２１ａと第２支持部２１ｂとは、その下端、中央部１０５及び上端において互いに安定的に接続される。
【００５６】
第１支持部２１ａと第２支持部２１ｂとは、図３に示すように、ファンモータ台２０の上下方向の中心線Ａ−Ａを中心として対称に形成されている。よって、以下の支持部２１の説明では、第１支持部２１ａを中心として説明し、第２支持部２１ｂの説明は適宜省略する。
【００５７】
図５に示すように、第１支持部２１ａは、第１平面２１ａ−１及び第２平面２１ａ−２を含む。第１平面２１ａ−１と第２平面２１ａ−２とは、概ねＬ字状をなすように接続されている。第２平面２１ａ−２は、室外ユニット１００の正面視において前側の面である。第２平面２１ａ−２は、前板１１の面に沿っている。第１平面２１ａ−１は、第２平面２１ａ−２から連続して折り曲げられることで形成されている。具体的には、第１平面２１ａ−１は、第２平面２１ａ−２に対して後側に折り曲げられた面であり、第２平面２１ａ−２に概ね直交する面である。第２平面２１ａ−２の上下方向の中央部１０５は、モータ保持部２２に接続されている。
【００５８】
前述の通り、第１平面２１ａ−１と第２平面２１ａ−２とは、互いに折り曲げられることで概ねＬ字状をなしている。よって、Ｌ字状の角部において、第１平面２１ａ−１の上下方向に延びる辺と第２平面２１ａ−２の上下方向に延びる一辺とは一体に接続されている。そして、第１平面２１ａ−１において、第２平面２１ａ−２と接続される辺に対向する辺は自由端である。よって、第２平面２１ａ−２の自由端は、第２平面２１ａ−２が上下方向に延びるのに沿って上下方向に延びている。
【００５９】
一方、第２平面２１ａ−２において、第１平面２１ａ−１と接続される辺に対向する辺には、図５に示すように、第１内側端面１２１ａ及び第２内側端面１２１ｂが接続されている。第１内側端面１２１ａ及び第２内側端面１２１ｂは、第２平面２１ａ−２から後側に折り曲げられた面である。第１内側端面１２１ａ及び第２内側端面１２１ｂは、第１平面２１ａ−１に概ね平行に対向する。よって、第１支持部２１ａは、第１内側端面１２１ａ及び第２内側端面１２１ｂと、第２平面２１ａ−２と、第１平面２１ａ−１とによって、一辺が開口した矩形状の形状を有している。つまり、第１支持部２１ａは、中央部１０５を除いて、背面側が開口した概ねコの字状の形状を有している。
【００６０】
なお、第１内側端面１２１ａ及び第２内側端面１２１ｂは、図５に示すように、第１空間６１ａ及び第２空間６１ｂに面して形成される面である。ここで、第１空間６１ａ及び第２空間６１ｂは、第１支持部２１ａ、第２支持部２１ｂ、モータ保持部２２、底板対向部２６及び天板対向部２３に囲まれた領域である。第１空間６１ａはモータ保持部２２に対して上方の空間であり、第２空間６１ｂはモータ保持部２２に対して下方の空間である。第１空間６１ａに面して第１内側端面１２１ａが設けられている。また、第２空間６１ｂに面して第２内側端面１２１ｂが設けられている。
【００６１】
図４、図５に示すように、第１支持部２１ａは、モータ保持部２２が前側に突出するように折り曲げられている。具体的には、第１支持部２１ａの上下方向の中央部１０５が、上端部１０１ａ及び下端部１０１ｂよりも前側に隆起している。そのため、上端部１０１ａと中央部１０５とを接続する上傾斜部１０３ａは、上方から下方に向かって前側に傾斜している。また、下端部１０１ｂと中央部１０５とを接続する下傾斜部１０３ｂは、下方から上方に向かって前側に傾斜している。なお、中央部１０５、上端部１０１ａ及び下端部１０１ｂは概ね鉛直方向、つまり上下方向に延びている。また、中央部１０５はモータ保持部２２に対応する部分である。よって、第１支持部２１ａは、中央部１０５においてモータ保持部２２と接続されている。第１支持部２１ａの中央部１０５が上端部１０１ａ及び下端部１０１ｂよりも前側に突出しているため、ファン１５が前側に突出するように取り付けられる。ここで、ファン１５による送風性能を向上するため、ファン１５のファン翼１５ａの奥行きが大きく形成される。つまり、ファン翼１５ａは、室外ユニット１００の背面側に向かって延びるように形成される。上記の構成によれば、ファン１５が前側に突出するようにファンモータ台２０に取り付けられるため、ファンモータ台２０とファン翼１５ａとの接触を回避することができる。
【００６２】
また、図５に示すように、第１支持部２１ａの第２平面２１ａ−２には、天板１３から底板１４に向かって延びる支持膨出部１３１を有していてもよい。支持膨出部１３１は、例えば、第２平面２１ａ−２の底面から盛り上がるように膨らんだ部分である。同様に、第２支持部２１ｂの第２平面にも同様に支持膨出部が設けられていてもよい。支持膨出部１３１によって、支持部２１の強度を高めることができる。
【００６３】
（２−２）モータ保持部２２
図２、図３、図５に示すように、モータ保持部２２は、概ね平板状であり、その平面は前板１１の面と概ね平行である。モータ保持部２２は、ファンモータ台２０の上下方向の概ね中央部１０５に設けられている。そして、モータ保持部２２は、支持部２１に挟み込まれるように、支持部２１の上下方向の中央部１０５に設けられている。そして、モータ保持部２２は、第１支持部２１ａの左側と第２支持部２１ｂの右側との間に位置するように、第１支持部２１ａ及び第２支持部２１ｂに接続されている。このとき、第１支持部２１ａの第２平面２１ａ−２に連続するようにモータ保持部２２が接続されている。特に、モータ保持部２２は、第１支持部２１ａの中央部１０５において、第２平面２１ａ−２と接続されている。同様に、モータ保持部２２は、第２支持部２１ｂの中央部１０５において、第２平面と接続されている。
【００６４】
モータ保持部２２は、その平面の中央部にモータ挿入孔２２ａが設けられている。モータ挿入孔２２ａは、駆動モータ１６に対応した形状を有している。例えば、モータ挿入孔２２ａは概ね円形状を有している。
【００６５】
（２−３）天板対向部２３
図５に示すように、支持部２１の上方には、天板対向部２３が設けられている。より具体的には、天板対向部２３は、第１支持部２１ａの上端と第２支持部２１ｂの上端とを接続するように、第１支持部２１ａ及び第２支持部２１ｂ上に設けられている。
【００６６】
天板対向部２３は、天板１３と対向する部分である。また、天板対向部２３は、ファンモータ台２０を構成する部材のうち、最も天板１３に近接又は接触する部材の一つである。天板対向部２３は概ね平板状である。
【００６７】
天板対向部２３は、例えば、支持部２１に対して概ね９０°で折り曲げられるように形成される。
【００６８】
図５〜図８に示すように、天板対向部２３は、天板上面基部２３１（２３１ａ、２３１ｂ、２３１ｃ）と、天板膨出部１３３（１３３ａ、１３３ｂ、１３３ｃ）とを含む。図９は、天板上面基部２３１及び天板膨出部１３３の断面を代表する断面図である。図９では、一例として、後述の第１分岐１３３ａ−１の断面を示している。図９に示すように、天板膨出部１３３は、水平面部１３３１と、傾斜縁部１３３２とを含む。水平面部１３３１は、天板１３と概ね平行な水平面を有する。傾斜縁部１３３２は、天板上面基部２３１と水平面部１３３１との間を接続する。より具体的には、傾斜縁部１３３２は、天板上面基部２３１から水平面部１３３１に向かって上方に傾斜して盛り上がる。ここで、傾斜縁部１３３２の少なくとも一部は湾曲している。
【００６９】
天板１３に荷重が掛かった場合、天板対向部２３のうち、盛り上がっている天板膨出部１３３が先に天板１３と接触する。このとき、天板膨出部１３３は、傾斜縁部１３３２が湾曲していることによって天板１３からの荷重を拡散することができる。つまり、天板膨出部１３３の傾斜縁部１３３２は、応力集中を抑制する。これは、傾斜縁部１３３２が辺又は点によって荷重を受けるのではなく、湾曲した湾曲面により荷重を受けるからである。よって、天板１３とファンモータ台２０の天板対向部２３との接触による、天板１３の変形を抑制することができる。例えば、ファンモータ台２０の天板対向部２３の形状の型が、天板１３に付くのを抑制することができる。
【００７０】
また、天板対向部２３の天板上面基部２３１及び天板膨出部１３３は、天板対向部２３を加工して形成することができる。よって、別途の部材を設けることなく天板１３の変形を抑制することができる。これにより、ファンモータ台２０のコストを抑制することができる。
【００７１】
また、天板１３の変形を抑制して、冷凍装置ユニット内の電装品の破損を抑制することができる。
【００７２】
なお、傾斜縁部１３３２の少なくとも一部が湾曲しているとは、傾斜縁部１３３２の断面視において、天板上面基部２３１と水平面部１３３１との間において、傾斜縁部１３３２の少なくとも一部が湾曲している場合を含む。つまり、傾斜縁部１３３２は、断面視において、天板上面基部２３１と水平面部１３３１との間の全てにおいて湾曲している必要はない。例えば、傾斜縁部１３３２は、断面視において、少なくとも水平面部１３３１の近傍において湾曲していればよい。より具体的には、傾斜縁部１３３２は、天板上面基部２３１から水平面部１３３１に至るまでの間において、天板上面基部２３１の近傍では直線状に盛り上がる。その後、傾斜縁部１３３２は、直線状の傾斜縁部１３３２に引き続いて、水平面部１３３１の近傍において湾曲する。このように、傾斜縁部１３３２が水平面部１３３１の近傍において湾曲していれば、天板１３からの荷重を効率よく拡散することができ好ましい。つまり、天板１３に荷重が掛かった場合、天板１３は、水平面部１３３１及び／又は、傾斜縁部１３３２の湾曲部分に接触する。これにより、傾斜縁部１３３２は天板１３からの荷重を拡散し、天板１３の変形を抑制することができる。
【００７３】
以下に、図６〜図１０を参照して、天板対向部２３の天板上面基部２３１及び天板膨出部１３３についてより具体的に説明する。
【００７４】
（ａ）天板上面基部２３１
図６、図７に示すように、天板上面基部２３１は、天板対向部２３の底部をなす平面である。天板上面基部２３１は、第１天板上面基部２３１ａ、第２天板上面基部２３１ｂ及び連結天板上面基部２３１ｃから形成されている。第１天板上面基部２３１ａは、第１支持部２１ａ上に位置する。第２天板上面基部２３１ｂは、第２支持部２１ｂ上に位置する。連結天板上面基部２３１ｃは、第１天板上面基部２３１ａと第２天板上面基部２３１ｂとの間に位置する。
【００７５】
（ｂ）天板膨出部１３３
天板膨出部１３３は、天板上面基部２３１から盛り上がるように膨らんだ部分である。天板膨出部１３３は、前述の通り、水平面部１３３１と、天板上面基部２３１から水平面部１３３１に向かって少なくとも一部が湾曲している傾斜縁部１３３２と、を含む。天板膨出部１３３は、第１天板膨出部１３３ａ、第２天板膨出部１３３ｂ及び連結天板膨出部１３３ｃから形成されている。第１天板膨出部１３３ａは、第１天板上面基部２３１ａに対応して形成されている。第２天板膨出部１３３ｂは、第２天板上面基部２３１ｂに対応して形成されている。連結天板膨出部１３３ｃは、連結天板上面基部２３１ｃに対応して形成されている。連結天板膨出部１３３ｃは、第１天板膨出部１３３ａと第２天板膨出部１３３ｂとを連結している。よって、第１天板膨出部１３３ａ、第２天板膨出部１３３ｂ及び連結天板膨出部１３３ｃは、一連に形成されている。
【００７６】
（ｂ−１）第１天板膨出部１３３ａ
第１天板膨出部１３３ａは、第１分岐１３３ａ−１、第２分岐１３３ａ−２及び第３分岐１３３ａ−３から形成されている。第１分岐１３３ａ−１、第２分岐１３３ａ−２及び第３分岐１３３ａ−３は、第１天板上面基部２３１ａから盛り上がるように膨らんでいる。第１分岐１３３ａ−１及び第２分岐１３３ａ−２は、天板対向部２３から第１支持部２１ａの第１平面２１ａ−１に延びる。第３分岐１３３ａ−３は、天板対向部２３から段差面部２７を介して接触部２４に延びる。
【００７７】
図６〜図８に示すように、第１分岐１３３ａ−１は、天板対向部２３の第１端辺２３ａに隣接している。第１端辺２３ａは、天板対向部２３の右側の端辺である。言い換えれば、第１端辺２３ａは、第１天板上面基部２３１ａの右側の端辺である。第１端辺２３ａは、前後方向に沿って延びる。また、第１端辺２３ａは、第１支持部２１ａの第２平面２１ａ−２の端部と隣接している。第１分岐１３３ａ−１は、第１端辺２３ａの延びる方向に沿って延びている。つまり、第１分岐１３３ａ−１は、第１端辺２３ａが前後方向に延びるのに沿って、前側に延びている。さらに、第１分岐１３３ａ−１は、天板対向部２３から第１支持部２１ａの第２平面２１ａ−２の端部に掛けて延びている。よって、第１分岐１３３ａ−１は、天板対向部２３上では前側に向かって延び、第１支持部２１ａの第１平面２１ａ−１上では下側に向かって延びる。
【００７８】
図１０を用いてより具体的に説明する。第１分岐１３３ａ−１の第１部分１３３ａ−１ａは、天板対向部２３上において前側に延びている。第１分岐１３３ａ−１の第２部分１３３ａ−１ｂは、第１部分１３３ａ−１ａに連続している。第２部分１３３ａ−１ｂは、天板対向部２３から第１支持部２１ａに亘る湾曲部に沿って湾曲している。第１分岐１３３ａ−１の第３部分１３３ａ−１ｃは、第２部分１３３ａ−１ｂに連続している。第３部分１３３ａ−１ｃは、第１支持部２１ａ上において下側に向かって延びる。
【００７９】
図６、図７に示すように、第２分岐１３３ａ−２は、第１分岐１３３ａ−１の左側に隣接している。第２分岐１３３ａ−２は、第１分岐１３３ａ−１の延びる方向に沿って延びている。つまり、第２分岐１３３ａ−２は、第１端辺２３ａが前後方向に延びるのに沿って、前側に延びている。さらに、第１分岐１３３ａ−１は、天板対向部２３から第１支持部２１ａの第１平面２１ａ−１の端部に掛けて延びている。よって、第２分岐１３３ａ−２は、天板対向部２３上では前側に向かって延び、第１支持部２１ａの第１平面２１ａ−１上では下側に向かって延びる。なお、第２分岐１３３ａ−２は、第１支持部２１ａの第１平面２１ａ−１の形状に合わせて、第１分岐１３３ａ−１よりも長さが短い。第１分岐１３３ａ−１と第２分岐１３３ａ−２との間は、上面視において概ねＵ字状をなしている。
【００８０】
第３分岐１３３ａ−３は、第１分岐１３３ａ−１及び第２分岐１３３ａ−２が前側に向かって延びるのに対して、後側に延びている。第３分岐１３３ａ−３は、概ね第１分岐１３３ａ−１と第２分岐１３３ａ−２との間において、後側に延びている。第３分岐１３３ａ−３の延びる方向は、第１分岐１３３ａ−１の延びる前後方向に沿っている。より具体的には、第３分岐１３３ａ−３は、天板対向部２３上において前後方向に沿って延びる。さらに、第３分岐１３３ａ−３は、天板対向部２３から引き続いて、段差面部２７の傾斜に沿って延び、接触部２４上において前後方向に延びる。
【００８１】
上記では、第１天板膨出部１３３ａが第１分岐１３３ａ−１、第２分岐１３３ａ−２及び第３分岐１３３ａ−３から形成されている。しかし、第１天板膨出部１３３ａは、少なくとも第１分岐１３３ａ−１から形成されていればよい。つまり、第１天板膨出部１３３ａにおいて、第２分岐１３３ａ−２及び第３分岐１３３ａ−３は必ずしも形成されている必要はない。ただし、第２分岐１３３ａ−２及び第３分岐１３３ａ−３が形成されることで、天板対向部２３の強度を高めることができる。また、第２分岐１３３ａ−２が第１支持部２１ａに延び、第３分岐１３３ａ−３が段差面部２７及び接触部２４に延びている。これにより、天板対向部２３、第１支持部２１ａ及び段差面部２７の強度を高めることができる。
【００８２】
また、第１天板膨出部１３３ａは、図６〜図９に示す水平面部１３３１と、傾斜縁部１３３２を含む。ここで、第１天板膨出部１３３ａのうち少なくとも第１分岐１３３ａ−１において、傾斜縁部１３３２の一部が湾曲していればよい。つまり、第２分岐１３３ａ−２及び第３分岐１３３ａ−３の傾斜縁部１３３２は、必ずしも湾曲している必要はない。例えば、第２分岐１３３ａ−２及び第３分岐１３３ａ−３の傾斜縁部１３３２は、第１天板上面基部２３１ａから水平面部１３３１に向かって直線状に盛り上がってもよい。ここで、第１分岐１３３ａ−１は、天板対向部２３の右側の第１端辺２３ａ、つまり第１天板上面基部２３１ａの右側の第１端辺２３ａに隣接する。天板１３に荷重がかかると、天板１３と天板対向部２３とが接触する。このとき、天板対向部２３の中央部は水平面部１３３１により荷重を受けるため、応力を拡散することが可能である。逆に、天板対向部２３の右側の第１端辺２３ａ、つまり第１天板上面基部２３１ａの右側の第１端辺２３ａは、天板１３からの荷重を辺で受けるため応力が集中し易い。そして、天板対向部２３の右側の第１端辺２３ａに隣接する第１分岐１３３ａ−１もまた応力が集中し易い。この第１分岐１３３ａ−１の傾斜縁部１３３２の少なくとも一部が湾曲していれば、応力集中を抑制することができる。これにより、天板１３に荷重がかかっても、天板１３の変形を抑制することができる。
【００８３】
さらに、第１分岐１３３ａ−１は、少なくとも天板対向部２３の右側の第１端辺２３ａに隣接する傾斜縁部１３３２が湾曲していればよい。前述の通り、天板対向部２３の右側の第１端辺２３ａは、天板１３からの荷重を辺で受けるため応力が集中し易い。そして、第１分岐１３３ａ−１のうち、天板対向部２３の右側の第１端辺２３ａに隣接する部分は応力が集中し易い。よって、第１分岐１３３ａ−１において、天板対向部２３の右側の第１端辺２３ａに隣接する傾斜縁部１３３２が湾曲していれば、応力集中を抑制することができる。また、上述の通り、第１分岐１３３ａ−１が延びる方向は、天板対向部２３の右側の第１端辺２３ａが延びる前後方向に沿っている。つまり、第１分岐１３３ａ−１の傾斜縁部１３３２が延びる方向も、第１端辺２３ａが延びる前後方向に沿っている。天板１３からの応力が集中し易い天板対向部２３の右側の第１端辺２３ａに沿って、傾斜縁部１３３２の湾曲部分が延びている。そのため、第１端辺２３ａに沿って延びる湾曲した傾斜縁部１３３２によってさらに応力を拡散することができる。これにより、天板１３に荷重がかかっても、天板１３の変形を抑制することができる。
【００８４】
以上のように、第１天板膨出部１３３ａは、特に第１分岐１３３ａ−１の傾斜縁部１３３２が湾曲していることによって、天板１３の変形を抑制することができる。さらには、第１天板膨出部１３３ａは、第１分岐１３３ａ−１、第２分岐１３３ａ−２及び第３分岐１３３ａ−３によって、天板対向部２３、段差面部２７及び接触部２４の強度を高めることができる。
【００８５】
（ｂ−２）第２天板膨出部１３３ｂ
第２天板膨出部１３３ｂは、前延長部２５を挟んで第１天板膨出部１３３ａと対称に形成されている。第２天板膨出部１３３ｂは、第１天板膨出部１３３ａと同様であるので適宜省略して説明する。
【００８６】
第２天板膨出部１３３ｂは、第１分岐１３３ｂ−１、第２分岐１３３ｂ−２及び第３分岐１３３ｂ−３から形成されている。第１分岐１３３ｂ−１、第２分岐１３３ｂ−２及び第３分岐１３３ｂ−３は、第２天板上面基部２３１ｂから盛り上がるように膨らんでいる。第１分岐１３３ｂ−１及び第２分岐１３３ｂ−２は、天板対向部２３から第２支持部２１ｂに延びる。第３分岐１３３ｂ−３は、天板対向部２３から段差面部２７を介して接触部２４に延びる。
【００８７】
第１分岐１３３ｂ−１は、天板対向部２３の第２端辺２３ｂに隣接している。第２端辺２３ｂは、天板対向部２３の左側の端辺である。言い換えれば、第２端辺２３ｂは、第２天板上面基部２３１ｂの左側の端辺である。第２端辺２３ｂは、前後方向に沿って延びる。第１分岐１３３ｂ−１は、第２端辺２３ｂの延びる方向に沿って延びている。つまり、第１分岐１３３ｂ−１は、第２端辺２３ｂが前後方向に延びるのに沿って、前側に延びている。さらに、第１分岐１３３ｂ−１は、天板対向部２３から延びて第２支持部２１ｂ上において下側に向かって延びる。
【００８８】
第２分岐１３３ｂ−２は、第１分岐１３３ｂ−１の右側に隣接している。第２分岐１３３ｂ−２は、第１分岐１３３ｂ−１の延びる方向に沿って延びている。第２分岐１３３ｂ−２は、天板対向部２３上では前側に向かって延び、第２支持部２１ｂ上では下側に向かって延びる。なお、第２分岐１３３ｂ−２は、第１分岐１３３ｂ−１よりも長さが短い。第１分岐１３３ｂ−１と第２分岐１３３ｂ−２との間は、上面視において、概ねＵ字状をなしている。
【００８９】
第３分岐１３３ｂ−３は、第１分岐１３３ｂ−１及び第２分岐１３３ｂ−２が前側に向かって延びるのに対して、後側に延びている。第３分岐１３３ｂ−３は、概ね第１分岐１３３ｂ−１と第２分岐１３３ｂ−２との間において、後側に延びている。第３分岐１３３ｂ−３は、天板対向部２３上において前後方向に沿って延びる。さらに、第３分岐１３３ｂ−３は、天板対向部２３から引き続いて、段差面部２７の傾斜に沿って延び、接触部２４上において前後方向に延びる。
【００９０】
第２天板膨出部１３３ｂは、少なくとも第１分岐１３３ｂ−１から形成されていればよい。つまり、第２天板膨出部１３３ｂにおいて、第２分岐１３３ｂ−２及び第３分岐１３３ｂ−３は必ずしも形成されている必要はない。ただし、第２分岐１３３ｂ−２及び第３分岐１３３ｂ−３が形成されることで、天板対向部２３の強度を高めることができる。また、第２分岐１３３ｂ−２が第１支持部２１ｂに延び、第３分岐１３３ｂ−３が段差面部２７及び接触部２４に延びている。これにより、天板対向部２３、第１支持部２１ｂ及び段差面部２７の強度を高めることができる。
【００９１】
また、第２天板膨出部１３３ｂは、第１天板膨出部１３３ａと同様に、図６〜図９に示す水平面部１３３１と、傾斜縁部１３３２を含む。そして、第１天板膨出部１３３ａと同様の理由により、第２天板膨出部１３３ｂのうち少なくとも第１分岐１３３ｂ−１において、傾斜縁部１３３２の一部が湾曲していればよい。天板対向部２３の左側の第２端辺２３ｂ、つまり第２天板上面基部２３１ｂの左側の第２端辺２３ｂに隣接する第１分岐１３３ｂ−１は応力が集中し易い。よって、この第１分岐１３３ｂ−１の傾斜縁部１３３２の少なくとも一部が湾曲していれば、応力集中を抑制することができる。これにより、天板１３に荷重がかかっても、天板１３の変形を抑制することができる。
【００９２】
さらに、第１分岐１３３ｂ−１は、少なくとも天板対向部２３の左側の第２端辺２３ｂに隣接する傾斜縁部１３３２が湾曲していればよい。前述の通り、天板対向部２３の左側の第２端辺２３ｂは、天板１３からの荷重を辺で受けるため応力が集中し易い。そして、第１分岐１３３ｂ−１のうち、天板対向部２３の左側の第２端辺２３ｂに隣接する部分は応力が集中し易い。よって、第１分岐１３３ｂ−１において、天板対向部２３の左側の第２端辺２３ｂに隣接する傾斜縁部１３３２が湾曲していれば、応力集中を抑制することができる。また、上述の通り、第１分岐１３３ｂ−１が延びる方向は、天板対向部２３の左側の第２端辺２３ｂが延びる前後方向に沿っている。つまり、第１分岐１３３ｂ−１の傾斜縁部１３３２が延びる方向も、第２端辺２３ｂが延びる前後方向に沿っている。天板１３からの応力が集中し易い天板対向部２３の左側の第２端辺２３ｂに沿って、傾斜縁部１３３２の湾曲部分が延びている。そのため、第２端辺２３ｂに沿って延びる湾曲した傾斜縁部１３３２によってさらに応力を拡散することができる。これにより、天板１３に荷重がかかっても、天板１３の変形を抑制することができる。
【００９３】
以上のように、第２天板膨出部１３３ｂは、特に第１分岐１３３ｂ−１の傾斜縁部１３３２が湾曲していることによって、天板１３の変形を抑制することができる。さらには、第２天板膨出部１３３ｂは、第１分岐１３３ｂ−１、第２分岐１３３ｂ−２及び第３分岐１３３ｂ−３によって、天板対向部２３、段差面部２７及び接触部２４の強度を高めることができる。
【００９４】
（ｂ−３）連結天板膨出部１３３ｃ
連結天板膨出部１３３ｃは、連結天板上面基部２３１ｃから盛り上がるように膨らんでいる。つまり、連結天板膨出部１３３ｃは、図６〜図９に示す水平面部１３３１及び傾斜縁部１３３２を含む。
【００９５】
連結天板膨出部１３３ｃは、第１天板膨出部１３３ａと第２天板膨出部１３３ｂとを連結する。連結天板膨出部１３３ｃは、第１支持部２１ａから第２支持部２１ｂに向かう方向に沿って延びている。つまり、連結天板膨出部１３３ｃは、左右方向に沿って延びている。第１天板膨出部１３３ａ、第２天板膨出部１３３ｂ及び連結天板膨出部１３３ｃは、一連に形成されている。よって、第１天板膨出部１３３ａ、連結天板膨出部１３３ｃ及び第２天板膨出部１３３ｂに亘って、水平面部１３３１は概ね面一に形成されている。
【００９６】
このように天板膨出部１３３は、第１天板上面基部２３１ａ及び第２天板上面基部２３１ｂだけでなく、連結天板上面基部２３１ｃにも対応して形成されている。天板１３に荷重が掛かった場合、第１天板上面基部２３１ａ、第２天板上面基部２３１ｂ及び連結天板上面基部２３１ｃに対応して形成された天板膨出部１３３によって、応力を拡散することができる。よって、天板１３の変形を抑制することができる。
【００９７】
なお、連結天板膨出部１３３ｃの傾斜縁部１３３２は、必ずしも湾曲している必要はない。ただし、傾斜縁部１３３２の少なくとも一部が湾曲していると、天板１３からの荷重を拡散することができ好ましい。例えば、連結天板膨出部１３３ｃの傾斜縁部１３３２は、天板対向部２３と段差面部２７との左右方向に延びる境界部分において湾曲していると好ましい。天板対向部２３と段差面部２７との境界部分では、辺で天板１３からの荷重を受ける可能性があるからである。また、連結天板膨出部１３３ｃを設けることによって、天板対向部２３の強度を高めることもできる。
【００９８】
本実施形態では、連結天板膨出部１３３ｃは、後述の前延長部２５の前延長膨出部１３５と連結されている。しかし、連結天板膨出部１３３ｃは、必ずしも前延長膨出部１３５と連結されている必要はない。ただし、連結天板膨出部１３３ｃと前延長膨出部１３５とが連結されていると、天板対向部２３から前延長部２５にかけて、水平面部１３３１を概ね面一とすることができる。よって、面積の大きい水平面部１３３１により天板１３からの荷重を受けるため、荷重を拡散するでき好ましい。
【００９９】
なお、連結天板膨出部１３３ｃは必ずしも設けられている必要はない。ただし、連結天板膨出部１３３ｃを設けると、天板１３からの荷重の拡散及び天板対向部２３の強度を向上することができるので好ましい。
【０１００】
（２−４）前延長部２５
図５〜図７に示すように、前延長部２５は、天板対向部２３から前方、つまり前板１１側に向かって延びる平面である。前延長部２５は、第１支持部２１ａの上端と第２支持部２１ｂの上端との間において、天板対向部２３から延びている。
【０１０１】
前延長部２５は、天板対向部２３と同様に天板１３と概ね平行に対向する平面である。また、前延長部２５は、ファンモータ台２０を構成する部材のうち、最も天板１３に近接又は接触する部材の一つである。前延長部２５は概ね平板状である。前延長部２５と天板対向部２３とは、概ね同一平面に位置している。
【０１０２】
図６、図７に示すように、前延長部２５は、前延長基部２５１と、前延長膨出部１３５（１３５ａ、１３５ｂ）とを含む。本実施形態では、前延長膨出部１３５は、第１前延長膨出部１３５ａ及び第２前延長膨出部１３５ｂから形成されている。前延長膨出部１３５は、前延長部２５が延びる方向、つまり前後方向に延びて形成されている。また、前延長膨出部１３５は、天板対向部２３の天板膨出部１３３と一連となるように接続されている。
【０１０３】
また、前延長膨出部１３５は、水平面部１３５１と、傾斜縁部１３５２とを含む。水平面部１３５１は、図９の水平面部１３３１と同様である。傾斜縁部１３５２は、図９の傾斜縁部１３３２と同様である。水平面部１３５１は、天板１３と概ね平行な水平面を有する。傾斜縁部１３５２は、前延長基部２５１と水平面部１３５１との間を接続する。より具体的には、傾斜縁部１３５２は、前延長基部２５１から水平面部１３５１に向かって上方に傾斜して盛り上がる。ここで、傾斜縁部１３５２の少なくとも一部は湾曲している。
【０１０４】
天板１３に荷重が掛かった場合、前延長部２５のうち、盛り上がっている前延長膨出部１３５が先に天板１３と接触する。このとき、前延長膨出部１３５は、傾斜縁部１３５２が湾曲していることによって天板１３からの荷重を拡散することができる。つまり、前延長膨出部１３５の傾斜縁部１３５２は、応力集中を抑制する。これは、傾斜縁部１３５２が辺又は点によって荷重を受けるのではなく、湾曲した湾曲面により荷重を受けるからである。よって、天板１３とファンモータ台２０の前延長膨出部１３５との接触による、天板１３の変形を抑制することができる。例えば、ファンモータ台２０の前延長膨出部１３５の形状の型が、天板１３に付くのを抑制することができる。
【０１０５】
また、前延長部２５の前延長基部２５１及び前延長膨出部１３５は、前延長部２５を加工して形成することができる。よって、別途の部材を設けることなく天板１３の変形を抑制することができる。これにより、ファンモータ台２０のコストを抑制することができる。
【０１０６】
また、天板１３の変形を抑制して、冷凍装置ユニット内の電装品の破損を抑制することができる。
【０１０７】
なお、傾斜縁部１３５２の少なくとも一部が湾曲しているとは、傾斜縁部１３５２の断面視において、前延長基部２５１と水平面部１３５１との間において、傾斜縁部１３５２の少なくとも一部が湾曲している場合を含む。つまり、傾斜縁部１３５２は、断面視において、前延長基部２５１と水平面部１３５１との間の全てにおいて湾曲している必要はない。例えば、傾斜縁部１３５２は、断面視において、少なくとも水平面部１３５１の近傍において湾曲していればよい。より具体的には、傾斜縁部１３５２は、前延長基部２５１から水平面部１３５１に至るまでの間において、前延長基部２５１の近傍では直線状に盛り上がる。その後、傾斜縁部１３５２は、直線状の傾斜縁部１３５２に引き続いて、水平面部１３５１の近傍において湾曲する。このように、傾斜縁部１３５２が水平面部１３５１の近傍において湾曲していれば、天板１３からの荷重を効率よく拡散することができ好ましい。つまり、天板１３に荷重が掛かった場合、天板１３は、水平面部１３５１及び／又は、傾斜縁部１３５２の湾曲部分に接触する。これにより、傾斜縁部１３５２は天板１３からの荷重を拡散し、天板１３の変形を抑制することができる。
【０１０８】
ここで、天板１３からの荷重は、前延長部２５の右側の第１端辺２５ａ及び／又は前延長部２５の左側の第２端辺２５ｂに掛かりやすい。つまり、天板１３に荷重がかかると、天板１３と前延長部２５とが接触する。このとき、前延長部２５の中央部は水平面部１３５１により荷重を受けるため、応力を拡散することが可能である。逆に、前延長部２５の右側の第１端辺２５ａ、つまり前延長基部２５１の右側の第１端辺２５ａは、天板１３からの荷重を辺で受けるため応力が集中し易い。そして、前延長基部２５１の右側の第１端辺２５ａに隣接する第１前延長膨出部１３５ａの端辺１３５ａａもまた応力が集中し易い。ここで、第１端辺２５ａと端辺１３５ａａとは概ね平行である。同様に、前延長部２５の左側の第２端辺２５ｂ、つまり前延長基部２５１の左側の第２端辺２５ｂは、天板１３からの荷重を辺で受けるため応力が集中し易い。そして、前延長基部２５１の左側の第２端辺２５ｂに隣接する第２前延長膨出部１３５ｂの端辺１３５ｂｂもまた応力が集中し易い。ここで、第２端辺２５ｂと端辺１３５ｂｂとは概ね平行である。よって、端辺１３５ａａ及び／又は端辺１３５ｂｂの傾斜縁部１３５２の少なくとも一部が湾曲していれよい。これにより、天板１３に荷重がかかっても、応力集中を抑制し、天板１３の変形を抑制することができる。
【０１０９】
また、端辺１３５ａａ及び端辺１３５ｂｂの傾斜縁部１３５２が全て湾曲していてもよい。前延長部２５の右側の第１端辺２５ａは、前述の通り天板１３からの応力が集中し易い。この第１端辺２５ａに沿った端辺１３５ａａの傾斜縁部１３５２が湾曲しているため、天板１３からの荷重をより拡散できる。前延長部２５の左側の第２端辺２５ｂは、前述の通り天板１３からの応力が集中し易い。この第２端辺２５ｂに沿った端辺１３５ｂｂの傾斜縁部１３５２が湾曲しているため、天板１３からの荷重をより拡散できる。これにより、天板１３に荷重がかかっても、天板１３の変形を抑制することができる。
【０１１０】
また、前延長膨出部１３５は、天板１３の変形を抑制するだけでなく、前延長部２５の強度を高めることができる。
【０１１１】
なお、天板対向部２３の天板上面基部２３１と、前延長部２５の前延長基部２５１とは、上下方向において概ね同位置の高さである。また、天板膨出部１３３の水平面部１３３１と、前延長膨出部１３５の水平面部１３５１とは、上下方向において概ね同位置の高さである。つまり、天板膨出部１３３及び前延長膨出部１３５は概ね同じ高さとなるように一連に形成されている。よって、天板１３に荷重がかかった場合、天板膨出部１３３及び前延長膨出部１３５の両方又はいずれかによって、天板１３からの荷重を拡散することができる。
【０１１２】
（２−５）段差面部２７
段差面部２７は、図６〜図８に示すように、天板対向部２３から接触部２４に向かって下方に傾斜する平面である。前述の通り、天板膨出部１３３の第３分岐１３３ａ−３、１３３ｂ−３は、天板対向部２３上から段差面部２７を経由して接触部２４上にかけて延びるように形成されている。これにより、天板対向部２３、段差面部２７及び接触部２４の強度を高めることができる。
【０１１３】
（２−６）接触部２４
接触部２４は、室外熱交換器３０の上端面及び側面と接触して係止する部材である。
【０１１４】
図５に示すように、接触部２４の上下方向の位置は、天板対向部２３の上下方向の位置よりも低い。つまり、接触部２４は、天板対向部２３に対して一段低い位置となるように、天板対向部２３に接続されている。特に、接触部２４は、天板対向部２３の背面、つまり室外熱交換器３０側において、段差面部２７を介して天板対向部２３に接続されている。
【０１１５】
天板対向部２３は接触部２４よりも天板１３に近い位置にある。よって、天板１３に荷重が掛かった場合、天板対向部２３は天板１３に加わった荷重を支持する。接触部２４の高さは天板対向部２３よりも一段低いため、天板対向部２３に加わった力が室外熱交換器３０に伝わることを抑制できる。
【０１１６】
接触部２４には、前述の通り、天板膨出部１３３の第３分岐１３３ａ−３、１３３ｂ−３が天板対向部２３から延長して形成されている。これにより、天板対向部２３、段差面部２７及び接触部２４の強度を高めることができる。
【０１１７】
（２−７）底板対向部２６
図５に示すように、支持部２１の下方には、底板対向部２６が設けられている。より具体的には、底板対向部２６は、第１支持部２１ａの下端と第２支持部２１ｂの下端とを接続するように、第１支持部２１ａ及び第２支持部２１ｂ下方に設けられている。
【０１１８】
底板対向部２６は、底板１４と対向する部分である。また、底板対向部２６は、ファンモータ台２０を構成する部材のうち、最も底板１４に近接又は接触する部材である。
【０１１９】
（２−８）ファンモータ台２０の一体構造
本実施形態では、ファンモータ台２０は、一枚の平板から、支持部２１、モータ保持部２２、天板対向部２３、接触部２４、前延長部２５及び底板対向部２６が一連一体に形成されている。
【０１２０】
例えば、ファンモータ台２０は、１枚の平板において、第１空間６１ａ、第２空間６１ｂ及びモータ挿入孔２２ａ等不要な部分を取り除く。このとき、前延長部２５に対応する部分が残るように第１空間６１ａに対応する部分が取り除かれる。その後、各部材に折り曲げ加工が行われて、図５に示すファンモータ台２０が形成される。
【０１２１】
ファンモータ台２０において上記各部材が一連一体に形成されていると、各部材を互いに接続する工程を省略でき、製造工程を簡略化できる。また、各部材を接続するための部材も省略でき、ファンモータ台２０のコストアップを抑制できる。また、各部材の接続による脆弱性も抑制できる。
【０１２２】
また、上記実施形態では、膨出部１３１、１３３，１３５が、天板対向部２３、接触部２４及び前延長部２５において一連に接続されて形成されている。よって、天板対向部２３、接触部２４及び前延長部２５の強度を一体として高めることができる。
【０１２３】
（３）特徴
（３−１）
ファンモータ台２０は、天板対向部２３と、モータ保持部２２と、支持部２１と、を備える。天板対向部２３は、冷凍装置ユニットの天板１３に対向する。モータ保持部２２は、冷凍装置ユニットのファン１５の駆動モータ１６を支持する。支持部２１は、天板対向部２３及びモータ保持部２２を支持し、冷凍装置ユニットの底板１４から天板１３に向かって延びる。
【０１２４】
天板対向部２３は、天板上面基部２３１と、天板膨出部１３３と、を含む。天板膨出部１３３は、水平面部１３３１と、傾斜縁部１３３２と、を有する。水平面部１３３１は、水平面を有する。傾斜縁部１３３２は、天板上面基部２３１と水平面部１３３１との間を接続する。また、傾斜縁部１３３２は、天板上面基部２３１から水平面部１３３１に向かって上方に傾斜して盛り上がり、少なくとも一部が湾曲している。
【０１２５】
上記構成によれば、天板膨出部１３３の傾斜縁部１３３２は、天板上面基部２３１と水平面部１３３１との間を、その断面が湾曲するように接続する。
【０１２６】
なお、少なくとも一部が湾曲しているとは、傾斜縁部１３３２の断面視において、天板上面基部２３１と水平面部１３３１との間において、傾斜縁部１３３２の少なくとも一部が湾曲している場合を含む。つまり、傾斜縁部１３３２は、断面視において、天板上面基部２３１と水平面部１３３１との間の全てにおいて湾曲している必要はない。例えば、傾斜縁部１３３２は、断面視において、少なくとも水平面部１３３１の近傍において湾曲していればよい。
【０１２７】
天板１３に荷重が掛かった場合、天板対向部２３のうち、盛り上がっている天板膨出部１３３が先に天板１３と接触する。このとき、天板膨出部１３３は、傾斜縁部１３３２が湾曲していることによって天板１３からの荷重を拡散することができる。つまり、天板膨出部１３３の傾斜縁部１３３２は、応力集中を抑制する。これは、傾斜縁部１３３２が辺又は点によって荷重を受けるのではなく、湾曲した湾曲面により荷重を受けるからである。よって、天板１３とファンモータ台２０の天板対向部２３との接触による、天板１３の変形を抑制することができる。例えば、ファンモータ台２０の天板対向部２３の形状の型が、天板１３に付くのを抑制することができる。
【０１２８】
また、天板対向部２３の天板上面基部２３１及び天板膨出部１３３は、天板対向部２３を加工して形成することができる。よって、別途の部材を設けることなく天板１３の変形を抑制することができる。これにより、ファンモータ台２０のコストを抑制することができる。
【０１２９】
また、天板１３の変形を抑制して、冷凍装置ユニット内の電装品の破損を抑制することができる。
【０１３０】
（３−２）
傾斜縁部１３３２は、天板上面基部２３１と水平面部１３３１との間を、その断面が湾曲するように接続する。特に、傾斜縁部１３３２は、天板上面基部２３１から盛り上がり、水平面部１３３１の近傍において湾曲している。天板１３に荷重が掛かった場合、天板１３は、水平面部１３３１及び／又は、傾斜縁部１３３２の湾曲部分に接触する。これにより、傾斜縁部１３３２は天板１３からの荷重を拡散し、天板１３の変形を抑制することができる。なお、水平面部１３３１の近傍において傾斜縁部１３３２が湾曲しているとは、例えば次の場合を言う。傾斜縁部１３３２は、天板上面基部２３１から水平面部１３３１に至るまでの間において、天板上面基部２３１の近傍では直線状に盛り上がる。その後、傾斜縁部１３３２は、直線状の傾斜縁部１３３２に引き続いて、水平面部１３３１の近傍において湾曲する。
【０１３１】
（３−３）
天板１３に荷重がかかると、冷凍装置ユニットの天板１３に対向する天板対向部２３と天板１３とが接触する。このとき、天板対向部２３の中央部はその平面により荷重を受けるため、応力を拡散することが可能である。逆に、天板上面基部２３１の端部、つまり天板対向部２３の端部は、天板１３からの荷重を辺で受けるため応力が集中し易い。
【０１３２】
ここで、傾斜縁部１３３２は天板上面基部２３１の端部に隣接する部分が湾曲している。つまり、天板１３からの応力が集中し易い部位において傾斜縁部１３３２が湾曲している。天板１３からの応力を、その傾斜縁部１３３２によって拡散することができるため、天板１３の変形を抑制することができる。
【０１３３】
（３−４）
傾斜縁部１３３２の湾曲部分が延びる方向は、天板上面基部２３１の端部が延びる方向に沿っている。ここで、天板上面基部２３１の端部、つまり天板対向部２３の第１端辺２３ｂ及び第１端辺２３ｂは、天板１３からの荷重を辺で受けるため応力が集中し易い。上記構成によれば、天板１３からの応力が集中し易い天板上面基部２３１の端部に沿って、傾斜縁部１３３２の湾曲部分が延びている。そのため、天板上面基部２３１の端部に沿って延びる傾斜縁部１３３２によってさらに応力を拡散することができる。よって、天板１３の変形を抑制することができる。
【０１３４】
（３−５）
傾斜縁部１３３２は、その延びる方向の全長において湾曲している。これにより、天板１３からの荷重を傾斜縁部１３３２の全長に亘って拡散することができる。よって、より天板１３の変形を抑制することができる。
【０１３５】
（３−６）
支持部２１は、底板１４から天板１３に向かって延びる、第１支持部２１ａと第２支持部２１ｂとを含む。天板上面基部２３１は、第１支持部２１ａ側の第１天板上面基部２３１ａと、第２支持部２１ｂ側の第２天板上面基部２３１ｂと、第１天板上面基部２３１ａ及び第２天板上面基部２３１ｂとの間に位置する連結天板上面基部２３１ｃと、を有する。天板膨出部１３３は、第１天板上面基部２３１ａと、第２天板上面基部２３１ｂと、連結天板上面基部２３１ｃと、に対応して形成されている。
【０１３６】
上記構成によれば、天板膨出部１３３は、第１天板上面基部２３１ａ及び第２天板上面基部２３１ｂだけでなく、連結天板上面基部２３１ｃにも対応して形成されている。天板１３に荷重が掛かった場合、第１天板上面基部２３１ａ、第２天板上面基部２３１ｂ及び連結天板上面基部２３１ｃに対応して形成された天板膨出部１３３によって、さらに応力を拡散することができる。よって、より天板１３の変形を抑制することができる。
【０１３７】
（３−７）
ファンモータ台２０は、前延長部２５をさらに備える。前延長部２５は、天板対向部２３から冷凍装置ユニットの前板１１に向かって延びる。前延長部２５は、前延長基部２５１と、前延長膨出部１３５と、を含む。前延長基部２５１は、天板上面基部２３１から冷凍装置ユニットの前板１１に向かって延びる。前延長膨出部１３５は、水平面部１３５１と、傾斜縁部１３５２と、を有する。水平面部１３５１は水平面を有する。傾斜縁部１３５２は、前延長基部２５１と水平面部１３５１との間を接続する。また、傾斜縁部１３５２は、前延長基部２５１から水平面部１３５１に向かって上方に傾斜して盛り上がり、少なくとも一部が湾曲している。
【０１３８】
上記構成において、前延長基部２５１は、天板上面基部２３１から前板１１に向かって延びている。天板１３に荷重が掛かった場合、前延長基部２５１の端部に応力がかかる場合がある。このような場合でも、前延長基部２５１に対応して前延長膨出部１３５が形成されているため、応力を拡散することができる。よって、天板１３の変形を抑制することができる。
【０１３９】
（４）変形例
（４−１）変形例１Ａ
上記実施形態では、天板対向部２３、接触部２４及び前延長部２５に、天板膨出部１３３及び前延長膨出部１３５が設けられている。しかし、少なくとも天板膨出部１３３が設けられていればよく、前延長膨出部１３５は必須の構成要素ではない。特に、天板膨出部１３３のうち第１分岐１３３ａ−１及び１３３ｂ−１が少なくとも設けられていればよい。さらには、第１分岐１３３ａ−１及び１３３ｂ−１において、天板対向部２３の右側の第１端辺２３ａ及び左側の第２端辺２３ｂに隣接する傾斜縁部１３３２が湾曲していればよい。これは、天板対向部２３の第１端辺２３ａ及び第２端辺２３ｂにおいて、天板１３からの荷重が集中し、応力が集中するからである。
【０１４０】
しかし、前延長膨出部１３５が設けられると、天板１３からの荷重を天板対向部２３及び前延長膨出部１３５により拡散することができ好ましい。
【０１４１】
（４−２）変形例１Ｂ
上記実施形態では、天板膨出部１３３は、断面視において傾斜縁部１３３２の少なくとも一部が湾曲していればよい。同様に、前延長膨出部１３５は、断面視において傾斜縁部１３５２の少なくとも一部が湾曲していればよい。しかし、傾斜縁部１３３２はその延びる方向の全長において湾曲していてもよい。つまり、傾斜縁部１３３２は、傾斜縁部が延びる方向の全長において断面が湾曲していてもよい。これにより、天板１３からの荷重を傾斜縁部１３３２の全長に亘って拡散することができる。よって、より天板１３の変形を抑制することができる。同様の理由により、傾斜縁部１３５２はその延びる方向の全長において湾曲していてもよい。
【０１４２】
（４−３）変形例１Ｃ
上記実施形態では、支持部２１に支持膨出部１３１が設けられている。しかし、支持膨出部１３１は必須の構成要素ではない。ただし、ファンモータ台２０の強度を向上し、天板１３の変形の変形を抑制するためには、支持膨出部１３１が設けられているのが好ましい。また、上記形態では、支持膨出部１３１は、各平面から盛り上がるように形成されている。しかし、支持膨出部１３１は、各平面に対して盛り下がるような凹部により形成されていてもよい。
【０１４３】
（４−４）変形例１Ｄ
上記実施形態のファンモータ台２０では、支持部２１、モータ保持部２２、天板対向部２３、接触部２４、前延長部２５及び底板対向部２６が一体に形成されている。しかし、これらの部材は別体で形成され、それぞれが組み合わされてもよい。例えば、天板対向部２３、接触部２４、前延長部２５及び底板対向部２６は、支持部２１と別体として形成され、支持部２１に取り付けられてもよい。
【０１４４】
ただし、ファンモータ台２０において上記各部材が一体に形成されていると、製造工程を簡略化でき、コストアップを抑制でき、各部材の接続による脆弱性も抑制できる。
【０１４５】
（４−５）変形例１Ｅ
上記実施形態では、支持部２１の上部には、天板対向部２３及び接触部２４が設けられている。そして、接触部２４は、天板対向部２３に対して一段低い位置となるように、天板対向部２３に接続されている。よって、天板対向部２３と接触部２４とは段差を有している。しかし、天板対向部２３と接触部２４とは同じ高さに形成されていてもよい。
【０１４６】
（４−６）変形例１Ｆ
上記実施形態のファンモータ台２０では、第１支持部２１ａ及び第２支持部２１ｂは、モータ保持部２２が前側に突出するように折り曲げられている。しかし、第１支持部２１ａ及び第２支持部２１ｂは直線状であってもよい。ただし、上記実施形態のように第１支持部２１ａ及び第２支持部２１ｂが前側に突出するように折り曲げられていると、ファン翼１５ａの奥行きが大きく形成でき好ましい。
【産業上の利用可能性】
【０１４７】
以上の通り、本発明によればコストアップを抑制しつつ、天板の変形を抑制することができるファンモータ台を提供することができる。よって、ファンを支持するためのファンモータ台を有するあらゆる冷凍装置ユニットに本発明を適用可能である。
【符号の説明】
【０１４８】
１１          前板
１３          天板
１４          底板
１５          ファン
１６          駆動モータ
２０          ファンモータ台
２１          支持部
２１ａ        第１支持部
２１ｂ        第２支持部
２２          モータ保持部
２３          天板対向部
２４          接触部
２５          前延長部
１００        室外ユニット（冷凍装置ユニット）
１３１        支持膨出部
１３３        天板膨出部
１３３ａ      第１天板膨出部
１３３ｂ      第２天板膨出部
１３３ｃ      連結天板膨出部
１３５        前延長膨出部
２３１        天板上面基部
２３１ａ      第１天板上面基部
２３１ｂ      第２天板上面基部
２３１ｃ      連結天板上面基部
２５１        前延長基部
１３３１      水平面部
１３３２      傾斜縁部
１３５１      水平面部
１３５２      傾斜縁部
【先行技術文献】
【特許文献】
【０１４９】
【特許文献１】特開２０１３−２３１５３０号公報
【図１】
2016090087.tif 000003
【図２】
2016090087.tif 000004
【図３】
2016090087.tif 000005
【図４】
2016090087.tif 000006
【図５】
2016090087.tif 000007
【図６】
2016090087.tif 000008
【図７】
2016090087.tif 000009
【図８】
2016090087.tif 000010
【図９】
2016090087.tif 000011
【図１０】
2016090087.tif 000012